(57)【特許請求の範囲】
【請求項１】
放送信号が入力される入力端子部、及び、上記放送信号を複数に分配した分配信号をそれぞれ出力するための複数の出力端子部が表面に露設された金属ケースと、金属ケースの内部に所定の隙間を開けて重ねて配置される第１及び第２の回路基板とを備え、上記第１の回路基板に、上記入力端子部を介して入力される放送信号を増幅する増幅回路部、及び上記増幅回路部で増幅された増幅信号を複数に分配して上記出力端子部に出力する第１の分配回路部の回路部品を実装するとともに、上記第２の回路基板に、上記第１の分配回路部で分配された分配信号をさらに分配して上記出力端子部に出力する第２の分配回路部、及び上記増幅回路部の動作電源を生成し電源配線を介して上記増幅回路部に供給する電源回路部の回路部品を実装した分配ブースタにおいて、
上記第２の回路基板における電源回路部の実装部位を金属製のシールドケースで覆うとともに、上記第１及び第２の回路基板の間に両回路基板の間を電磁シールドする略板状のシールド部材を配置し、
金属線からなる中心導体と、この中心導体を支持する誘電体と、上記誘電体の表面に形成され上記中心導体と同心に配置された金属管からなる外部導体とで構成され、両回路基板間で分配信号を伝送するための同軸配線部材を両回路基板の間に取り付けるとともに、上記シールド部材に同軸配線部材を挿通するための貫通孔を設けたことを特徴とする分配ブースタ。
【請求項２】
上記第２の回路基板における上記電源回路部及び上記第２の分配回路部の実装部位以外の部位にグランドパターンを形成するとともに、電源回路部の実装部位と第２の分配回路部の実装部位との間のグランドパターンの部位に、グランドパターンを除去して形成したスリット部を設けたことを特徴とする請求項１記載の分配ブースタ。
【請求項３】
上記第１の分配回路部がインピーダンス調整用の抵抗器を備えることを特徴とする請求項１記載の分配ブースタ。
【請求項４】
上記増幅回路部と上記第１の分配回路部との間にインピーダンス調整用の抵抗器を電気的に接続したことを特徴とする請求項１記載の分配ブースタ。
【請求項５】
上記抵抗器が可変抵抗器からなることを特徴とする請求項３又は４記載の分配ブースタ。
【請求項６】
上記第２の回路基板において、上記電源回路部の出力端と上記同軸配線部材の中心導体との間に第１のチョークコイルを接続するとともに、上記中心導体と上記第２の分配回路部の入力端との間に直流カット用の第１のコンデンサを接続し、上記第１の回路基板において、上記中心導体と上記増幅回路部の電源入力端子との間に第２のチョークコイルを接続するとともに、上記中心導体と上記第１の分配回路部の出力端との間に直流カット用の第２のコンデンサを接続したことを特徴とする請求項１記載の分配ブースタ。
【請求項７】
上記金属ケースは一面が開口した略箱状のボディと、ボディの開口を塞ぐ蓋からなり、上記第１及び第２の回路基板は一方の回路基板をボディの開口側に、他方の回路基板をボディの底面側にしてボディの内部に収納されており、第１及び第２の回路基板の内、ボディの開口側に配置された回路基板における上記同軸配線部材の取付部位の近傍に当該回路基板を貫通する貫通部を設けたことを特徴とする請求項１記載の分配ブースタ。
【請求項８】
上記同軸配線部材の外部導体の外周面と当接する円周面を有する導電部材と、弾性材料により形成され上記外部導体の挿入される挿通孔を有しこの挿通孔の内周面から上記円周面を露出させた状態で上記導電部材が埋設固定される弾性保持体と、上記導電部材を外部の導体に電気的に接続するためのリード線とで構成され、上記外部導体を接地するための接地部材を設けたことを特徴とする請求項１記載の分配ブースタ。
【請求項９】
導電性を有する弾性材料により形成され、上記同軸配線部材の外部導体が挿入される挿通孔を有する導電部材を、上記シールド部材に弾接させた状態で同軸配線部材に取り付けたことを特徴とする請求項１記載の分配ブースタ。
【請求項１０】
上記第１の回路基板における上記第１の分配回路部及び電源回路部の実装部位以外の部位にグランドパターンを形成するとともに、グランドパターンにおける上記同軸配線部材の取付位置の近傍に板ばねの一端を固定して固定端とし、板ばねの自由端を上記シールド部材と弾接させたことを特徴とする請求項１記載の分配ブースタ。
【発明の詳細な説明】
【０００１】
【発明の属する技術分野】
本発明は、テレビジョンなどの放送信号を増幅して分配するために用いられる分配ブースタに関するものである。
【０００２】
【従来の技術】
従来の分配ブースタの分解斜視図を図１２に示す。この分配ブースタは、ケース１と、ケース１の内部に収納されるプリント配線板からなる回路基板４，５と、両回路基板４，５の間に配置されて両者の間を電磁シールドするシールド部材５０とを備えている。尚、以下の説明では特にことわりがなければ図１２に示す方向において上下左右の方向を規定し、図１２における紙面側を前面という。
【０００３】
ケース１はダイキャスト製のボディ２と底蓋３とで構成される。ボディ２は下面が開口した細長の箱状であって、上面の長手方向略中央には上方に突出する凸台部７が形成されている。一方、底蓋３は略平板状であって、ボディ２の開口を覆うようにしてボディ２に被着される。
【０００４】
ボディ２の左右両側面には段部８，８が形成されており、凸台部７の左側の側面には上段側に２個の同軸コネクタ９が配設され、凸台部７の右側の側面には上下２段にそれぞれ複数個の同軸コネクタ１０が配設されている。ここに、凸台部７の左側に配設された２個の同軸コネクタ９から入力端子部１１が構成され、凸台部７の右側に配設された複数個の同軸コネクタ１０から出力端子部１２が構成される。
【０００５】
ボディ２の内部には、第１及び第２の回路基板（以下、回路基板と略す）４，５が、回路基板４を上側、回路基板５を下側にして配置される。ここで、ボディ２の内部は２段になっており、上側の回路基板４は凸台部７の内側に納められ、下側の回路基板５は段部８，８上に載置された状態でボディ２内に納められる。
【０００６】
上側の回路基板４には、同軸コネクタ９を介して入力された高周波の放送信号を増幅する増幅回路部（図示せず）や、増幅回路部で増幅された増幅信号を複数に分配して上段側の同軸コネクタ１０に出力する第１の分配回路部（図示せず）の回路部品が実装されている。
【０００７】
また下側の回路基板５には、第１の分配回路部で分配された分配信号をさらに複数に分配して下段側の同軸コネクタ１０に出力する第２の分配回路部（図示せず）や、回路基板４に実装された増幅回路部に動作電源を供給する電源回路部の回路部品が実装されている。
【０００８】
ここで、回路基板５に実装された電源回路部からは電源ケーブル１３を介して回路基板４に実装された増幅回路部に電源が供給される。また、回路基板４に実装された第１の分配回路部からは同軸ケーブル１４を介して回路基板５に実装された第２の分配回路部へ分配信号が出力される。
【０００９】
シールド部材５０は、図１３（ａ）〜（ｃ）に示すように、矩形板状のシールド板５１における回路基板５との対向面に矩形枠状の側枠５２を溶接して形成される。側枠５２は回路基板５に実装された電源回路部の回路部品を取り囲むようにして取り付けられ、側枠５２によって囲まれるシールド板５１の部位には電源ケーブル１３を挿通するための貫通孔５１ａが形成されている。また、シールド板５１の一辺には、同軸ケーブル１４を挿通するための切欠溝５１ｂが形成されている。
【００１０】
側枠５２の長手方向に沿う両側片には、それぞれ回路基板５側に突出する爪片５２ａが２個ずつ突設され、短幅方向に沿う両側片には、それぞれ回路基板５側に突出する爪片５２ａが１個ずつ突設されている。一方、回路基板５には側枠５２に設けた６個の爪片５２ａがそれぞれ挿入される６個の半田接続部５ｄが形成されている。
【００１１】
この分配ブースタを組み立てる際は、先ずボディ２の凸台部７内に回路基板４を収納した後、側枠５２を下側に向けて回路基板４の下側にシールド部材５０を収納する（図１４参照）。この時、シールド板５１に設けた切欠溝５１ｂを通して回路基板４からの同軸ケーブル１４が側に引き出される。次に、回路基板５に実装された電源回路部からの電源ケーブル１３をシールド板５１に設けた貫通孔５１ａに挿通し、電源ケーブル１３の端に結線されたコネクタ１３ａを回路基板４に実装された相手側のコネクタ（図示せず）に接続して、回路基板５の電源回路部から回路基板４の増幅回路部に電源を供給する。その後、回路基板５をケース１内に収納すると側枠５２に設けた爪片５２ａが回路基板５に設けた半田接続部５ｄに挿通され、各爪片５２ａを回路基板５に半田付けすることによって、シールド部材５０が回路基板５のグランドに接地されるとともに、シールド部材５０が回路基板５に対して機械的に結合される（図１５参照）。そして、同軸ケーブル１４を回路基板５の要所に半田付けした後、ボディ２の開口を底蓋３で塞ぐことによって分配ブースタの組立が終了する。
【００１２】
【発明が解決しようとする課題】
上記構成の分配ブースタでは、組立時にシールド部材５０の側枠５２に設けた６個の爪片５２ａと回路基板５に設けた６個の半田接続部５ｄとの位置合わせ作業を行う必要があり、さらに６個の爪片５２ａを回路基板５に半田付けするため、半田付けの箇所が多く、組み立て性が悪いという問題があった。また、シールド部材５０をケース１内に組み込む際に、シールド部材５０に設けた切欠溝５１ｂから同軸ケーブル１４を下側へ引き出す必要があるが、同軸ケーブル１４は固く曲げにくいため、作業性が悪いという問題があった。また、シールド部材５０はシールド板５１の一面に側枠５２を溶接して形成しているため、シールド部材５０同士を重ねて保管することができず、そのため多数のシールド板５０を保管するのに広いスペースが必要になり、シールド板５０の保管が面倒であった。
【００１３】
本発明は上記問題点に鑑みて為されたものであり、その目的とするところは、組立作業性を向上させた分配ブースタを提供することにある。
【００１４】
【課題を解決するための手段】
上記目的を達成するために、請求項１の発明では、放送信号が入力される入力端子部、及び、放送信号を複数に分配した分配信号をそれぞれ出力するための複数の出力端子部が表面に露設された金属ケースと、金属ケースの内部に所定の隙間を開けて重ねて配置される第１及び第２の回路基板とを備え、第１の回路基板に、入力端子部を介して入力される放送信号を増幅する増幅回路部、及び増幅回路部で増幅された増幅信号を複数に分配して出力端子部に出力する第１の分配回路部の回路部品を実装するとともに、第２の回路基板に、第１の分配回路部で分配された分配信号をさらに分配して出力端子部に出力する第２の分配回路部、及び増幅回路部の動作電源を生成し電源配線を介して増幅回路部に供給する電源回路部の回路部品を実装した分配ブースタにおいて、第２の回路基板における電源回路部の実装部位を金属製のシールドケースで覆うとともに、第１及び第２の回路基板の間に両回路基板の間を電磁シールドする略板状のシールド部材を配置し、金属線からなる中心導体と、この中心導体を支持する誘電体と、誘電体の表面に形成され中心導体と同心に配置された金属管からなる外部導体とで構成され、両回路基板間で分配信号を伝送するための同軸配線部材を両回路基板の間に取り付けるとともに、シールド部材に同軸配線部材を挿通するための貫通孔を設けたことを特徴とする。
【００１５】
そして、請求項１の発明はこのような構成を採用し、電源回路部を覆うシールドケースを第２の回路基板に予め取り付けているので、第１及び第２の回路基板とシールド部材とを金属ケースの内部に組み込む際にシールド部材を第２の回路基板に対して位置決めする作業がなくなり、さらに中心導体と誘電体と外部導体とで構成される同軸配線部材を用いて、第１の回路基板と第２の回路基板との間で分配信号を伝送しており、同軸配線部材を挿通するための貫通孔をシールド部材に設けているので、従来の分配ブースタのように同軸ケーブルを引き回す作業が不要になり、組立作業の作業性が向上する。そのうえ電源回路部をシールドケースで覆うとともに、第１及び第２の回路基板の間にシールド部材を配置しているので、電源回路部から放射されたノイズの影響を低減し、耐ノイズ性を向上させることができる。
【００１６】
請求項２の発明では、請求項１の発明において、第２の回路基板における電源回路部及び第２の分配回路部の実装部位以外の部位にグランドパターンを形成するとともに、電源回路部の実装部位と第２の分配回路部の実装部位との間のグランドパターンの部位に、グランドパターンを除去して形成したスリット部を設けたことを特徴とし、請求項１の発明の作用に加え、スリット部を設けることによって、電源回路部と第２の分配回路部との間のノイズ信号の伝搬状態を調整することができ、電源回路部からグランドパターンを経由して第２の分配回路部へ伝搬するノイズを低減できる。
【００１７】
請求項３の発明では、請求項１の発明において、第１の分配回路部がインピーダンス調整用の抵抗器を備えることを特徴とし、請求項１の発明の作用に加え、インピーダンス調整用の抵抗器によってインピーダンス整合をとるとともに、端子間結合損失を低減できる。
【００１８】
請求項４の発明では、請求項１の発明において、増幅回路部と第１の分配回路部との間にインピーダンス調整用の抵抗器を電気的に接続したことを特徴とし、請求項１の発明の作用に加え、インピーダンス調整用の抵抗器によってインピーダンス整合をとるとともに、端子間結合損失を低減できる。
【００１９】
請求項５の発明では、請求項３又は４の発明において、抵抗器が可変抵抗器からなることを特徴とし、請求項３又は４の発明の作用に加えて、抵抗値を変化させることによって、インピーダンス整合をとったり、端子間結合損失をさらに低減することができる。
【００２０】
請求項６の発明では、請求項１の発明において、第２の回路基板において、電源回路部の出力端と同軸配線部材の中心導体との間に第１のチョークコイルを接続するとともに、中心導体と第２の分配回路部の入力端との間に直流カット用の第１のコンデンサを接続し、第１の回路基板において、中心導体と増幅回路部の電源入力端子との間に第２のチョークコイルを接続するとともに、中心導体と第１の分配回路部の出力端との間に直流カット用の第２のコンデンサを接続したことを特徴とし、請求項１の発明の作用に加えて、第１及び第２のチョークコイルを介して同軸配線部材の中心導体に伝送される信号に、電源回路部の直流電圧を重畳させることができ、同軸配線部材で電源配線を兼用できる。
【００２１】
請求項７の発明では、請求項１の発明において、金属ケースは一面が開口した略箱状のボディと、ボディの開口を塞ぐ蓋からなり、第１及び第２の回路基板は一方の回路基板をボディの開口側に、他方の回路基板をボディの底面側にしてボディの内部に収納されており、第１及び第２の回路基板の内、ボディの開口側に配置された回路基板における同軸配線部材の取付部位の近傍に当該回路基板を貫通する貫通部を設けたことを特徴とし、請求項１の発明の作用に加えて、第１及び第２の回路基板をボディの内部に組み込む際に、開口側に配置された回路基板の貫通部から同軸配線部材を目視して、第２の回路基板と同軸配線部材との位置合わせを行うことができ、組立作業の作業性が向上する。
【００２２】
請求項８の発明では、請求項１の発明において、同軸配線部材の外部導体の外周面と当接する円周面を有する導電部材と、弾性材料により形成され外部導体の挿入される挿通孔を有しこの挿通孔の内周面から円周面を露出させた状態で導電部材が埋設固定される弾性保持体と、導電部材を外部の導体に電気的に接続するためのリード線とで構成され、外部導体を接地するための接地部材を設けたことを特徴とし、請求項１の発明の作用に加えて、弾性保持体の挿通孔に同軸配線部材の外部導体を挿入すると、弾性保持体の弾性力によって導電部材が外部導体に密着するので、リード線を金属ケース或いはシールド板に接地することによって、外部導体を確実に接地することができる。
【００２３】
請求項９の発明では、請求項１の発明において、導電性を有する弾性材料により形成され、同軸配線部材の外部導体が挿入される挿通孔を有する導電部材を、シールド部材に弾接させた状態で同軸配線部材に取り付けたことを特徴とし、請求項１の発明の作用に加えて、導電部材の挿通孔に同軸配線部材の外部導体を挿入すると、導電部材の弾性力によって導電部材が外部導体に密着し、さらに導電部材はシールド部材と弾接しているので、外部導体を確実に接地することができる。
【００２４】
請求項１０の発明では、請求項１の発明において、第１の回路基板における第１の分配回路部及び電源回路部の実装部位以外の部位にグランドパターンを形成するとともに、グランドパターンにおける同軸配線部材の取付位置の近傍に板ばねの一端を固定して固定端とし、板ばねの自由端をシールド部材と弾接させたことを特徴とし、請求項１の発明の作用に加えて、板ばねをシールド部材と弾接させることによって、シールド部材を確実に接地することができる。
【００２５】
【発明の実施の形態】
以下に本発明の実施の形態を図面を参照して説明する。
【００２６】
（実施形態１）
本発明の実施形態１を図１乃至図７を参照して説明する。図１は本実施形態の分配ブースタの分解斜視図であり、この分配ブースタは、ケース１と、ケース１の内部に収納されるプリント配線板からなる回路基板４，５と、両回路基板４，５間に配置され両者の間を電磁シールドするシールド部材６とを備えている。尚、以下の説明では特にことわりがなければ、図１に示す方向において上下左右の方向を規定し、図１における紙面側を前面という。
【００２７】
ケース１はダイキャスト製のボディ２と底蓋３とで構成される。ボディ２は下面が開口した細長の箱状であって、上面の長手方向略中央には上方に突出する凸台部７が形成されている。一方、底蓋３は略平板状であって、ボディ２の開口を覆うようにしてボディ２に被着される。
【００２８】
ボディ２の左右両側面には段部８，８が形成されており、凸台部７の左側の側面には上段側に２個の同軸コネクタ９が配設され、凸台部７の右側の側面には上下２段にそれぞれ複数個の同軸コネクタ１０が配設されている。ここに、凸台部７の左側に配設された２個の同軸コネクタ９から入力端子部１１が構成され、凸台部７の右側に配設された複数個の同軸コネクタ１０から出力端子部１２が構成される。
【００２９】
上述の回路基板４では、図２（ａ）〜（ｃ）に示すように、同軸コネクタ９を介して放送信号が入力される入力部３０と、アンプ３１ａからなり入力部３０を介して入力された放送信号を増幅する増幅回路部３１と、抵抗器３７ｂ，３７ｃ及び分配器３８ａ，３８ｂからなり増幅回路部３１で増幅された増幅信号を複数に分配する第１の分配回路部（以下、分配回路部と略す）３２と、分配回路部３２で分配された分配信号を上段側の同軸コネクタ１０に出力する出力部３３ａ，３３ｂの回路部品が実装されている。ここで、増幅回路部３１と分配回路部３２との間にはインピーダンス調整用の抵抗器３７ａを電気的に接続してあり、この抵抗器３７ａによって増幅回路部３１の出力部のインピーダンスを調整することができ、出力ＶＳＷＲ（電圧定在波比）特性や端子間結合損失特性を改善することができる。また、分配回路部３２の抵抗器３７ｂ，３７ｃは、分配器３８ａ，３８ｂの出力インピーダンスを調整するために設けてあり、これらの抵抗器３７ｂ，３７ｃによって出力ＶＳＷＲ特性や端子間結合損失特性を改善することができる。尚、各抵抗器３７ａ〜３７ｃに可変抵抗器を用いても良く、抵抗値を変化させることによって、出力ＶＳＷＲ特性や端子間結合損失特性を容易に調整することができる。
【００３０】
また下側の回路基板５には、図３に示すように、可変抵抗器３９及び分配器３８ｃからなり上述の分配回路部３２で分配された分配信号をさらに分配して出力する第２の分配回路部（以下、分配回路部と略す）３４と、回路基板４の増幅回路部３１に動作電源を供給する電源回路部３５と、分配回路部３４で分配された分配信号を下段側の同軸コネクタ１０に出力する出力部３６ａ，３６ｂの回路部品が実装されている。尚、分配回路部３４では分配器３８ｃの出力側に可変抵抗器３９を設けており、この可変抵抗器３９で製造時に特性を見ながら分配回路部３４の出力インピーダンスを調整することができ、出力ＶＳＷＲ特性や端子間結合損失特性を改善することができる。
【００３１】
電源回路部３５はスイッチング電源からなり、ＡＣ入力部３５ａを介して供給されるＡＣ１００Ｖの交流電圧を略一定の直流電圧に変換し、電源ケーブル１３を介して回路基板４の増幅回路部３１に供給する。ここで、回路基板５における電源回路部３５の実装部位は金属製のシールドケース１５によって覆われている。シールドケース１５は金属材料により下面が開口した矩形箱状に形成され、電源回路部３５の回路部品を内部に納めるようにして回路基板５に取り付けられており、電源回路部３５を電磁的に遮蔽している。尚、電源回路部３５から引き出された電源ケーブル１３は、シールドケース１５の上面に設けた貫通孔１５ａを通してシールドケース１５の外側に引き出され、電源ケーブル１３の端部に結線されたコネクタ１３ａが回路基板４の裏面に実装されたコネクタ４０に接続される。
【００３２】
また、回路基板４における下側の面には、分配回路部３２で分配された分配信号を回路基板５の分配回路部３４に出力するための同軸配線部材１６が取り付けられている。同軸配線部材１６は、図４に示すように、金属線からなる中心導体１６ａと、中心導体１６ａを支持する円柱状の誘電体１６ｂと、金属管からなり誘電体１６ｂの外周面を覆う外部導体１６ｃとで構成され、中心導体１６ａと外部導体１６ｃとは同心に配置されている。外部導体１６ｃの上端部には中心軸を挟んで対向する部位に下側に向かって突出する幅狭の爪片１６ｅ，１６ｅが突設されており、中心導体１６ａ及び各爪片１６ｅ，１６ｅはそれぞれ回路基板５に設けた半田接続部に挿入して半田付けされている（図２（ｂ）参照）。また、外部導体１６ｃの下端部には中心軸を挟んで対向する部位に下側に向かって突出する幅狭の爪片１６ｄ，１６ｄが突設されており、中心導体１６ａ及び各爪片１６ｄ，１６ｄはそれぞれ回路基板５に設けた半田接続部５ａ，５ｂ，５ｂに挿入して半田付けされる。
【００３３】
２枚の回路基板４，５の間には、両回路基板４，５の間をシールドするシールド部材６が配設される。シールド部材６は金属材料により矩形板状に形成され、同軸配線部材１６を挿通するための丸孔６ａと、電源ケーブル１３を挿通するための角孔６ｂとが貫設されている。
【００３４】
ここで、上述した各回路部の動作について簡単に説明する。回路基板４の入力部３０に入力された放送信号は増幅回路部３１で増幅された後、分配回路部３２で２分配される。２分配された信号の内の一方は同軸配線部材１６の中心導体１６ａに出力されると共に、他方は分配回路部３２でさらに２分配され、出力部３３ａ，３３ｂを介して上段側の同軸コネクタ１０に出力される。また、回路基板４の分配回路部３２から同軸配線部材１６を介して回路基板５の分配回路部３４に出力された分配信号は、分配回路部３４によってさらに２分配され、出力部３６ａ，３６ｂを介して下段側の同軸コネクタ１０に出力される。
【００３５】
この分配ブースタを組み立てる際は、先ず回路基板４を部品面を上向きにしてボディ２の凸台部７内に収納した後、回路基板４に取り付けた同軸配線部材１６と丸孔６ａとの位置を合わせて、シールド部材６をボディ２内に収納する（図５参照）。
【００３６】
次にシールドケース１５の貫通孔１５ａから引き出した電源ケーブル１３のコネクタ１３ａをシールド部材６の角孔６ｂに通して、回路基板４のコネクタ４０に接続するとともに、同軸配線部材１６の中心導体１６ａ及び爪片１６ｄと、回路基板５の半田接続部５ａ，５ｂとの位置を合わせて、回路基板５をケース１内に収納し、中心導体１６ａ及び爪片１６ｄを回路基板５に半田付けすると、中心導体１６ａが分配回路部３４の入力端に電気的に接続され、外部導体１６ｃが回路のグランドに接地される（図６参照）。この時、回路基板５の電源回路部３５から回路基板４の増幅回路部３１に動作電源が供給される。最後にボディ２の開口を底蓋３で塞ぐことによって、分配ブースタの組立が終了する。
【００３７】
また、回路基板４の下面にはシールド部材６と弾接して、シールド部材６を下方へ付勢する板ばね１７が設けられており、上述のようにして回路基板４，５とシールド部材６とをケース１内に組み込むと、板ばね１７がシールド部材６と弾接する。ここで、回路基板４の下面には回路部品の実装部位以外の部位にグランドパターン４ｃが形成されており、グランドパターン４ｃにおける同軸配線部材１６の取付部位近傍の部位に板ばね１７の一端が固定されて固定端となり、自由端となる板ばね１７の他端がシールド部材６と弾接することによって、シールド部材６と同軸配線部材１６の外部導体１６ｃとがともにグランドに接地される。而して、シールド部材６によって両回路基板４，５の間が確実にシールドされることになり、伝送特性が安定し、耐ノイズ性が向上する。
【００３８】
上述のように本実施形態では、電源回路部３５の回路部品を遮蔽するシールドケース１５が回路基板５に予め取り付けられているので、回路基板４，５及びシールド部材６をボディ２内に組み込む際に、回路基板４に取り付けた同軸配線部材１６と回路基板５との位置合わせをするだけで良く、半田付けの箇所も同軸配線部材１６の中心導体１６ａ及び爪片１６ｄだけで済むので、位置合わせや半田付けの手間が少なくなって、組立作業性が向上する。また、ボディ２の開口側に配置される回路基板５には、同軸配線部材１６の取り付け部位の近傍に切欠部５ｅ（貫通部）を設けており、この切欠部５ｅを通して同軸配線部材１６の位置を見ながら、同軸配線部材１６と回路基板５との位置合わせを行うことができるから、回路基板５の組込作業を容易に行うことができる。また、回路基板５に実装された電源回路部３５の回路部品をシールドケース１５で電磁シールドするとともに、回路基板４，５間をシールド部材６で電磁シールドしているので、電源回路部３５からのノイズが放送信号に重畳するのを防止できる。また、シールド部材６を矩形板状に形成しているので、複数のシールド部材６を重ねて保管することができ、シールド部材６がかさばらず、保管にも適している。
【００３９】
また、図２及び図３に斜線で示すように、各回路基板４，５には回路部品の実装部位以外の部位にグランドパターン４ｃ，５ｃが形成されているが、回路基板５における分配回路部３４の実装部位と電源回路部３５の実装部位との間の部位に、グランドパターン５ｃの一部に切り込みをいれることによって、長さ約２０ｍｍ、幅約２ｍｍのスリット１８が形成されている。このスリット１８により、電源回路部３５と分配回路部３４との間のノイズ信号の伝搬状態を調整することができ、電源回路部３５からグランドパターン５ｃを経由して分配回路部３４へ伝搬するノイズを低減できる。尚、スリット１８の形状を上記の形状に限定する趣旨のものではなく、電源回路部３５から分配回路部３４へのノイズ伝搬が低減されるのであれば、どのような形状のものでも良い。
【００４０】
また更に、本実施形態ではシールド部材６を平板状としているが、図７に示すようにシールド部材６の４辺を折り曲げて、下面が開口した箱状に形成しても良く、回路基板４，５と共にシールド部材６をボディ２の内部に組み込んだ際に、シールド部材６の四方の側壁６ｃがボディ２の内壁と当接するように、シールド部材６の寸法を設定すれば、ボディ２の内部でシールド部材６が動くのを防止でき、組立作業をさらに容易にできる。
【００４１】
（実施形態２）
本発明の実施形態２を図８及び図９を参照して説明する。実施形態１の分配ブースタでは、回路基板５から電源ケーブル１３を介して回路基板４に直流電源を供給しているのに対して、本実施形態では、同軸配線部材１６を介して伝送される分配信号に直流電圧を重畳させることによって、回路基板５から回路基板４へ直流電圧を供給しており、電源供給のための電源ケーブル１３を無くしている。尚、回路基板４，５以外の構成は実施形態１と同様であるので、同一の構成要素には同一の符号を付して、図示及び説明は省略する。
【００４２】
図９は回路基板５の配線パターンを示しており、電源回路部３５の出力端子部３５ｂの正極側端子と、同軸配線部材１６の中心導体１６ａが接続される半田接続部５ａとの間にチョークコイル４２ｂを接続するとともに、同軸配線部材１６の中心導体１６ａが接続される半田接続部５ａと分配器３８ｃの入力端との間に直流カット用のコンデンサ４１ｂを接続している。
【００４３】
また、図８は回路基板４の配線パターンを示しており、同軸配線部材１６の中心導体１６ａとアンプ３１ａの電源入力端子４３との間にチョークコイル４２ａを接続するとともに、同軸配線部材１６の中心導体１６ａと分配器３８ａの出力端との間に直流カット用のコンデンサ４１ａを接続している。
【００４４】
このように、回路基板５では電源回路部３５の出力端子部３５ｂの正極側端子と同軸配線部材１６の中心導体１６ａとの間にチョークコイル４２ｂを接続し、回路基板４では同軸配線部材１６の中心導体１６ａと増幅回路部３１の電源入力端子との間にチョークコイル４２ａを接続しており、同軸配線部材１６の中心導体１６ａを介して伝送される高周波の分配信号に直流電圧を重畳して、増幅回路部３１に電源を供給しているので、電源供給のための電源ケーブル１３を無くすことができ、組立作業の作業性が向上する。
【００４５】
尚、回路基板４，５では同軸配線部材１６の中心導体１６ａと分配器３８ａの出力端子との間、中心導体１６ａと分配器３８ｃの入力端子との間に、それぞれ、直流カット用のコンデンサ４１ａ，４１ｂが接続されているので、直流電流が分配回路部３２，３４側に流れ込むのを防止できる。また、チョークコイル４２ａ，４２ｂによって高周波の分配信号が増幅回路部３１の電源入力端子或いは電源回路部３５に回り込むのを防止している。
【００４６】
（実施形態３）
実施形態１では同軸配線部材１６の外部導体１６ｃの両端部を回路基板４，５のグランドパターン４ｃ，５ｃに半田付けするだけで、外部導体１６ｃを接地しているが、本実施形態では外部導体１６ｃを確実に接地するために、図１０（ａ）〜（ｄ）に示すような接地部材２０を用いている。尚、接地部材２０以外の構成は実施形態１と同様であるので、図示及び説明は省略する。
【００４７】
接地部材２０は、ゴムなどの弾性材料からリング状に形成され、同軸配線部材１６の外部導体１６ｃの外周径よりも若干小さい寸法の貫通孔２１ａが中央部に設けられた弾性保持体２１と、内側面が外部導体１６ｃの表面と略同じ円周面に形成され、この内側面が貫通孔２１ａの内周面から露出するようにして弾性保持体２１に保持された導電部材２２，２２と、各導電部材２２に電気的に接続されたリード線２３とで構成される。
【００４８】
弾性保持体２１の貫通孔２１ａに同軸配線部材１６の外部導体１６ｃを挿入すると、貫通孔２１ａは外部導体１６ｃの外周径よりも若干小さい寸法に形成されているので、弾性保持体２１の弾性力によって導電部材２２，２２が同軸配線部材１６の外部導体１６ｃに密着して、導電部材２２，２２と外部導体１６ｃとが電気的に接続される。ここで、各導電部材２２にはリード線２３が接続されており、リード線２３を介してシールド部材６或いはケース１に接地することによって、同軸配線部材１６の外部導体１６ｃを安定したグランドにおとすことができ、伝送特性が安定するとともに、耐ノイズ性が向上する。
【００４９】
ところで、導電部材２２をリング状に形成した場合には、導電部材２２と外部導体１６ｃとの間に隙間がないと外部導体１６ｃを挿入できない虞があり、そのために導電部材２２の径を大きくすると導電部材２２と外部導体１６ｃとの電気的接続が確実に得られない虞がある。そこで、本実施形態ではリング状の導電部材の一部を切り欠くことによって、導電部材２２，２２を不連続なリング形状に形成し、この導電部材２２，２２をリング状の弾性保持部材２２に保持させており、外部導体１６ｃを挿入した際に、導電部材２２には外部導体１６ｃによって外側に押圧される力と、弾性保持体２１によって内側に押圧される力とがかかり、この力によって導電部材２２と外部導体１６ｃとを密着させている。尚、導電部材２２，２２の形状を不連続なリング形状とすることによって、導電部材２２と外部導体１６ｃとの接触面積が少なくなるから、導電性を十分確保できる程度に導電部材２２の寸法を設定する必要がある。
【００５０】
尚、本実施形態では弾性保持体２１に導電部材２２，２２を保持させて接地部材２０を形成しているが、図１１（ａ）〜（ｄ）に示すように、導電性ゴムなどの導電性を有する弾性材料からリング状に形成された弾性体２４で接地部材２０を構成しても良い。
【００５１】
この接地部材２０は、同軸配線部材１６の外部導体１６ｃの外周径よりも若干小さい寸法の貫通孔２４ａを弾性体２４の中央に設けており、貫通孔２４ａに同軸配線部材１６の外部導体１６ｃを挿入すると、弾性体２４の弾性力によって弾性体２４が同軸配線部材１６の外部導体１６ｃに密着して、弾性体２４と外部導体１６ｃとが電気的に接続される。ここで、回路基板４，５及びシールド部材６をケース１の内部に組み込んだ状態で、弾性体２４の下面がシールド部材６と弾接するように、弾性体２４の厚み寸法や回路基板４とシールド部材６との間の距離などが設定されているので、弾性体２４の弾性力によって弾性体２４がシールド部材６と密着し、同軸配線部材１６の外部導体１６ｃが弾性体２４を介してシールド部材６に接地されるから、同軸配線部材１６の外部導体１６ｃを安定したグランドにおとすことができる。また、弾性体２４にはリード線２３の一端が埋設されており、リード線２３を介してケース１などに接地することもでき、同軸配線部材１６の外部導体１６ｃを安定したグランドにおとすことができる。
【００５２】
【発明の効果】
上述のように、請求項１の発明は、放送信号が入力される入力端子、及び、入力端子から入力された放送信号を分岐して得た分岐信号を出力するための複数の出力端子が表面に露設された金属ケースと、金属ケースの内部に重ねて収納される第１及び第２の回路基板とを備え、第１の回路基板に、入力端子を介して入力される放送信号を増幅する増幅回路部、及び増幅回路部で増幅された増幅信号を複数に分岐して出力端子に出力する第１の分岐回路部の回路部品を実装するとともに、第２の回路基板に、第１の分岐回路部で分岐された分岐信号をさらに分岐して出力端子に出力する第２の分岐回路部、及び増幅回路部の動作電源を生成し電源配線を介して増幅回路部に供給する電源回路部の回路部品を実装した分配ブースタにおいて、第２の回路基板の電源回路部の実装部位を金属製のシールドケースで覆うとともに、第１及び第２の回路基板の間に両回路基板の間を電磁シールドする略板状のシールド部材を配置し、金属管からなる外部導体及び当該外部導体の中心に配置された中心導体からなり、両回路基板間で分岐信号を伝送するための同軸配線部材を第１及び第２の回路基板の間に取り付けるとともに、シールド部材に同軸配線部材を挿通するための貫通孔を設けたことを特徴とする。
【００５３】
そして、このような構成を採用し、電源回路部を覆うシールドケースを第２の回路基板に予め取り付けているので、第１及び第２の回路基板とシールド部材とを金属ケースの内部に組み込む際にシールド部材を第２の回路基板に対して位置決めする作業がなくなり、さらに外部導体と中心導体とで構成される同軸配線部材を用いて、第１の回路基板と第２の回路基板との間で分岐信号を伝送しており、同軸配線部材を挿通するための貫通孔をシールド部材に設けているので、従来の分配ブースタのように同軸ケーブルを引き回す作業が不要になり、組立作業の作業性が向上する。そのうえ電源回路部をシールドケースで覆うとともに、第１及び第２の回路基板の間にシールド部材を配置しているので、電源回路部から放射されたノイズの影響を低減し、耐ノイズ性を向上させることができる。
【００５４】
請求項２の発明は、請求項１の発明において、上記第２の回路基板における上記電源回路部及び上記第２の分配回路部以外の部位にグランドのベタパターンを形成するとともに、上記電源回路部の実装部位と上記第２の分配回路部の実装部位との間のベタパターンの部位に、ベタパターンを除去したスリット部を設けたことを特徴とし、請求項１の発明の作用に加えて、スリット部を設けることによって、電源回路部と第２の分配回路部との間のノイズ信号の伝搬状態を調整することができ、電源回路部からベタパターンを経由して第２の分配回路部へ伝搬するノイズを低減できる。
【００５５】
請求項３の発明は、請求項１の発明において、上記第１の分配回路部にインピーダンス整合のための抵抗器を設けたことを特徴とし、請求項１の発明の作用に加えて、抵抗器を用いてインピーダンス整合をとるとともに、端子間結合損失を低減できる。
【００５６】
請求項４の発明は、請求項１の発明において、上記増幅回路部と上記第１の分配回路部との間にインピーダンス整合のための抵抗器を接続したことを特徴とし、請求項１の発明の作用に加えて、抵抗器を用いてインピーダンス整合をとるとともに、端子間結合損失を低減できる。
【００５７】
請求項５の発明は、請求項１の発明において、上記抵抗器が可変抵抗器であることを特徴とし、請求項３又は４の発明の作用に加えて、抵抗値を変化させることによって、インピーダンス整合をとったり、端子間結合損失をさらに低減することができる。
【００５８】
請求項６の発明は、請求項１の発明において、上記第２の回路基板において、電源回路部の出力端子と同軸配線部材の中心導体との間に第１のチョークコイルを接続するとともに、同軸配線部材の中心導体と第２の分配回路部の入力端との間に直流カット用の第１のコンデンサを接続し、上記第１の回路基板において、同軸配線部材の中心導体と増幅回路部の電源端子との間に第２のチョークコイルを接続するとともに、同軸配線部材の中心導体と第１の分配回路部の出力端との間に直流カット用の第２のコンデンサを接続したことを特徴とし、請求項１の発明の作用に加えて、第１及び第２のチョークコイルを介して同軸配線部材の中心導体に伝送される信号に、電源回路部の直流電圧を重畳させることができ、同軸配線部材で電源配線を兼用できる。
【００５９】
請求項７の発明は、請求項１の発明において、上記金属ケースは一面が開口した略箱状のボディと、ボディの開口を塞ぐ蓋からなり、上記第１及び第２の回路基板は第２の回路基板をボディの開口側にしてボディの内部に収納されており、第２の回路基板における上記同軸配線部材の取付部位の近傍に第２の回路基板を貫通する貫通部を設けたことを特徴とし、請求項１の発明の作用に加えて、第１及び第２の回路基板をボディの内部に組み込む際に、第２の回路基板に設けた貫通部から同軸配線部材を目視して、第２の回路基板と同軸配線部材との位置合わせを行うことができ、組立作業の作業性が向上する。
【００６０】
請求項８の発明は、請求項１の発明において、上記同軸配線部材の外部導体の外周面と嵌合する円周面を有する導電部材が、外部導体の挿入される挿通孔の内周面から円周面を露出させた状態で埋設される弾性保持体を備え、導電部材を外部の導体に電気的に接続するためのリード線を設けたことを特徴とし、請求項１の発明の作用に加えて、弾性保持体の挿通孔に同軸配線部材の外部導体を挿入すると、弾性保持体の弾性力によって導電部材が外部導体に密着するので、リード線を金属ケース或いはシールド板に接地することによって、外部導体を確実に接地することができる。
【００６１】
請求項９の発明は、請求項１の発明において、導電性を有する弾性材料から形成され、上記同軸配線部材の外部導体が挿入される挿通孔を備えた導電部材を、同軸配線部材およびシールド部材に弾接させた状態で同軸配線部材に取り付けたことを特徴とし、請求項１の発明の作用に加えて、導電部材の挿通孔に同軸配線部材の外部導体を挿入すると、導電部材の弾性力によって導電部材が外部導体に密着し、さらに導電部材はシールド部材と弾接しているので、外部導体を確実に接地することができる。
【００６２】
請求項１０の発明は、請求項１の発明において、上記第１の回路基板における上記第１の分配回路部及び電源回路部及び上記第２の分配回路部以外の部位にグランドのベタパターンを形成するとともに、ベタパターンにおける同軸配線部材の近傍に板ばねの一端を固定して固定端とし、板ばねの自由端をシールド部材と弾接させたことを特徴とし、請求項１の発明の作用に加えて、板ばねをシールド部材と弾接させることによって、シールド部材を確実に接地することができる。
【図面の簡単な説明】
【図１】実施形態１の分配ブースタの分解斜視図である。
【図２】同上に用いる第１の回路基板を示し、（ａ）は部品面のパターン図、（ｂ）（ｃ）は側面図である。
【図３】同上に用いる第２の回路基板の半田面側のパターン図である。
【図４】同上に用いる同軸配線部材の外観斜視図である。
【図５】同上のケースに第１の回路基板とシールド部材とを組み込んだ状態を下面側から見た図である。
【図６】同上のケースに第２の回路基板を組み込んだ状態を下面側から見た図である。
【図７】同上に用いる別のシールド部材の外観斜視図である。
【図８】実施形態２の分配ブースタに用いる第１の回路基板の部品面のパターン図である。
【図９】同上に用いる第２の回路基板の半田面側のパターン図である。
【図１０】実施形態３の分配ブースタに用いる接地部材を示し、（ａ）は上面図、（ｂ）は側面図、（ｃ）はＡ−Ａ’断面図、（ｄ）はＢ−Ｂ’断面図である。
【図１１】同上に用いる別の接地部材を示し、（ａ）は上面図、（ｂ）は側面図、（ｃ）はＡ−Ａ’断面図、（ｄ）はＢ−Ｂ’断面図である。
【図１２】従来の分配ブースタの分解斜視図である。
【図１３】同上に用いるシールド部材を示し、（ａ）は下側から見た図、（ｂ）（ｃ）は側面図である。
【図１４】同上のケースに第１の回路基板とシールド部材とを組み込んだ状態を下面側から見た図である。
【図１５】同上のケースに第２の回路基板を組み込んだ状態を下面側から見た図である。
【符号の説明】
１  ケース
２  ボディ
３  底蓋
４  第１の回路基板
５  第２の回路基板
６  シールド部材
６ａ  丸孔
１５  シールドケース
１６  同軸配線部材
３５  電源回路部
【図１】
0003893934.tif 000002
【図２】
0003893934.tif 000003
【図３】
0003893934.tif 000004
【図４】
0003893934.tif 000005
【図５】
0003893934.tif 000006
【図６】
0003893934.tif 000007
【図７】
0003893934.tif 000008
【図８】
0003893934.tif 000009
【図９】
0003893934.tif 000010
【図１０】
0003893934.tif 000011
【図１１】
0003893934.tif 000012
【図１２】
0003893934.tif 000013
【図１３】
0003893934.tif 000014
【図１４】
0003893934.tif 000015
【図１５】
0003893934.tif 000016